(57)【要約】      （修正有）【課題】吸引の際に常に空気抜き用の隙間が確保されて飲料容器内の減圧を防ぎ、飲み易く、且つ不快音を発生させず、更に空気抜き用の隙間をより広く確保することが可能となる液体封入容器用ストローを提供する。【解決手段】ストロー本体１の外周壁で且つその長手方向に沿って１本以上の突状部２を形成させ、且つ、突状部２に、ストロー本体１の中心軸に対して傾斜角θを設けた構造とする。また前記突状部２をストロー本体１の長手方向に対して２本以上形成しても良く、その突状部２の断面形状を三角山とするのが好ましい。【選択図】図１
0003143002.tif 000002
【実用新案登録請求の範囲】
【請求項１】
ストロー本体（１）の外周壁で且つその長手方向に沿って１本以上の突状部（２）を形成させ、且つ、該突状部（２）に、前記ストロー本体（１）の中心軸に対して傾斜角（θ）が設けられたことを特徴とする液体封入容器用ストロー。
【請求項２】
前記ストロー本体（１）が、径の異なる２本以上の管を伸縮自在に組合せた最外管である請求項１記載の液体封入容器用ストロー。
【請求項３】
前記突状部（２）が、ストロー本体（１）の長手方向に対して２本以上形成された請求項１又は２記載の液体封入容器用ストロー。
【請求項４】
前記突状部（２）の断面形状が三角山である請求項１又は３記載の液体封入容器用ストロー。
【考案の詳細な説明】
【技術分野】
【０００１】
本考案は飲料物が封入された紙パックなどの容器から飲用するための液体封入容器用ストローに関する。
【背景技術】
【０００２】
従来、飲料入り紙パックの外側と一体的に付着されているストローを用いて、紙パック内部の飲料物を吸引すると、紙パック内部は減圧し、紙パックが変形して飲料物の吸引が次第に難しくなるため、ストローからしばらく口を離して再び吸引することを繰り返さなければならないという使用上の不便があった。また、この時、紙パック内部に急激に空気が入り込むことにより、不快音が発生し易かった。このため近年に於いては、ストローの側部で長手方向に溝や突状部を設け、飲料物の吸引がスムーズに行えるように工夫したものが多種類提案されている。又、この長手方向に溝や突状部を設ける場合は、特に突状部をストローの上部まで付けると、吸い口として突状部が気になって不快感となるため、一般には突状部がストローの中間部のみに付けられている。また前記溝よりも前記突状部を作った方が空気の出入りが良好になる。
【０００３】
特にストローの側部で長手方向に突状部を設け、吸引の際に飲料容器内が減圧されることを防止し、飲み易く、且つ不快音を発生させないために提案されたものとして、特開２００１−２６９２５８があり、このストローの構造は、形の異なる２本以上の管が伸縮自在に組合され、且つ、最も外側に位置する最外管の外周壁に、その長手方向に沿って１本以上の凸条が形成された多段式ストローであった。
【０００４】
しかしながら、特開２００１−２６９２５８の凸条（突状部）は、文中に記載されているように最外管の外周壁の基準面から０．２〜１．０ｍｍであることが好ましく、基準面から１．０ｍｍを超えると、凸条の成形が困難になると明記されている。このため、紙パック内部の飲料物を吸引する際、紙パックの上壁に設けられた吸引穴をストローによって破り、紙パック内部に多段式のストローを差し込む。すると、吸引穴の周縁はストローの凸条（突状部）によって押し広げられ、吸引穴の周縁とストローの周面との間に若干の隙間が出来るが、飲料物を吸引し続けると、凸条の断面形状が略半円状であるため、吸引穴の周縁とストローの周面がなじんでしまい、若干の隙間がなくなって密着した状態になり易く、飲料物を最後の一滴までスムーズに吸引することが難しいものであった。
【特許文献１】特開２００１−２６９２５８号公報
【考案の開示】
【考案が解決しようとする課題】
【０００５】
本考案は吸引の際に常に空気抜き用の隙間が確保されて飲料容器内の減圧を防ぎ、飲み易く、且つ不快音を発生させない液体封入容器用ストローを提供することを目的とする。
【０００６】
本考案の他の目的は、空気抜き用の隙間をより広く確保することが可能となる液体封入容器用ストローを提供するにある。
【課題を解決するための手段】
【０００７】
本考案は上記現状に鑑み成されたものであり、つまり、ストロー本体の外周壁で且つその長手方向に沿って１本以上の突状部を形成させ、且つ、突状部に、ストロー本体の中心軸に対して傾斜角を設けた構造とする。また前記ストロー本体として、径の異なる２本以上の管を伸縮自在に組合せた多段式ストローの最外管を用いると良い。また、前記突状部をストロー本体の長手方向に対して２本以上形成しても良く、その突状部の断面形状を三角山とするのが好ましい。
【考案の効果】
【０００８】
請求項１のようにストロー本体（１）の外周壁で且つその長手方向に沿って１本以上の突状部（２）を形成させ、且つ、突状部（２）に、ストロー本体（１）の中心軸に対して傾斜角（θ）を設けることにより、吸引穴の周縁が突状部（２）の先端から後端近くまで差込むことによって徐々に広げられるため、突状部（２）１本分の幅以上の広い隙間が確保されるものとなる。従って、吸引の際に常に空気抜き用の隙間が確保されて飲料容器内の減圧を防ぎ、飲み易く、且つ不快音が発生されないものとなる。
【０００９】
請求項２のようにストロー本体（１）として、径の異なる２本以上の管を伸縮自在に組合せた最外管が用いられると、多段式ストローに対しても請求項１と同様の効果が得られる。
【００１０】
請求項３に示すように突状部（２）を、ストロー本体（１）の長手方向に対して２本以上形成させることにより、吸引穴の周縁が突状部（２）の先端から後端近くまで差込むことが２回行われる結果となるため、吸引穴の周縁がしっかりと広げられた隙間となり、その隙間は、極めてなじみにくい空気抜き用の隙間が確実に保持されるものとなる。
【００１１】
請求項４に示すように突状部（２）の断面形状を三角山とすることにより、従来の略半円状の如く吸引穴の周縁とストローの周面がなじむ恐れがなくなり、飲料物を最後の一滴までスムーズに吸引することが可能となる。
【考案を実施するための最良の形態】
【００１２】
図１、図２は本考案の実施形態を示す図であり、これに基づき説明する。(１)は内管（３）を出入自在に内設した２段式で合成樹脂製のストロー本体である。尚、前記ストロー本体（１）は２段式のものに限定されるものではなく、１段式のもの或いは３段式以上のものでも良い。（２）はストロー本体（１）の外周壁で且つその長手方向に沿って形成させた１本の突状部であり、該突状部（２）は外周壁の上下或いは左右で合計２本形成されている。また前記突状部（２）の断面形状としては図４に示すような三角山とし、その高さを１ｍｍ以上にするのが好ましいが、１ｍｍ以下でも良い。又、前記突状部（２）には、ストロー本体（１）の中心軸に対して傾斜角（θ）が設けられている。その傾斜角（θ）としては、２〜１０度前後の範囲が好ましいが、この範囲に限定されるものではない。また前記突状部（２）の本数も円周方向で２本に限定されるものではない。尚、前記突状部（２）の断面形状が三角山に形成させる方法及びその高さを１ｍｍ以上とする方法は、本考案者が特願２００６−３０３５９８で提案した「ストローの側部に形成する突状部の加工方法及びその加工用装置」を用いると良い。（４）は内管（３）がストロー本体（１）から抜け出ないようにするための絞り部である（図２参照）。
【００１３】
図３は本考案の別実施形態を示す図であり、これは前記実施形態と比べ、突状部（２）が長手方向で２本設けられたものであり、他は同じである。尚、前記突状部（２）の本数は２本以上でも良い。
【００１４】
次に本考案の作用について説明する。先ず始め紙パック内部の飲料物を吸引する際には、従来と同様に、紙パックの上壁に設けられた吸引穴をストローの先端によって破り、紙パック内部に２段式のストローを差し込む。すると、ストロー本体（１）の突状部（２）によって、吸引穴の周縁が押し広げられ、吸引穴の周縁とストローの周面との間に、空気抜き用の隙間が確保される。この時、突状部（２）は、ストロー本体（１）の中心軸に対して傾斜角（θ）が設けられているので、吸引穴の周縁が徐々に広げられて、突状部（２）１本以上の幅の隙間が確保されるものとなる。従って、空気抜き用の隙間が確実に保持された状態となり、飲料容器内の減圧防止が行え、減圧による様々な問題が解決できるものとなった。
【図面の簡単な説明】
【００１５】
【図１】本考案の実施形態を示す説明図である。
【図２】図１の突状部に沿った横断面状態を示す説明図である。
【図３】本考案の別実施形態を示す説明図である。
【図４】図２の拡大Ａ−Ａ断面である。
【符号の説明】
【００１６】
１  ストロー本体
２  突状部
θ  傾斜角
【図１】
0003143002.tif 000003
【図２】
0003143002.tif 000004
【図３】
0003143002.tif 000005
【図４】
0003143002.tif 000006